(57)【特許請求の範囲】
【請求項１】
ヒール部を有する履き物において、
路面に対向する底面であって足の拇指球に相当する拇指球位置と、前記底面であって足の小指球に相当する小指球位置とに履き物が路面に当接する接触領域を減少させるべく前記底面から突出して前記底面を路面から離間させるようにした各支持部をそれぞれ備え、前記ヒール部が路面に当接する際に、該ヒール部と前記各支持部とにより足部を３点支持し、
履き物の底部に凹部を形成し、一つの前記凹部には、その底面に前記拇指球位置に備えられる前記支持部と前記小指球位置に備えられる前記支持部とが島状に設けられていることを特徴とする履き物。
【請求項２】
請求項１に記載された履き物において、
前記底面であって、足のつま先に相当するつま先位置に支持部をさらに備え、前記ヒール部が路面に当接しない際に、前記拇指球位置に設けられた支持部と、前記小指球位置に設けられた支持部と、前記つま先位置に設けられた支持部とにより足部を３点支持することを特徴とする履き物。
【請求項３】
請求項２に記載された履き物において、
前記つま先位置の支持部は、前記ヒール部が路面に当接した際に、路面に接触しない高さに形成されていることを特徴とする履き物。
【請求項４】
請求項１〜３のいずれか１項に記載の履き物において、
前記ヒール部は、前記拇指球位置の支持部と前記小指球位置の支持部により底上げされた高さを調整するための支持部を備えていることを特徴とする履き物。
【請求項５】
請求項１〜４のいずれか１項に記載された履き物に用いられる支持部であって、
前記履き物に対して着脱可能に設けられる支持部。
【発明の詳細な説明】
【技術分野】
【０００１】
本発明は、履き物、及び履き物に用いられる支持部に関する。
【背景技術】
【０００２】
ハイヒールを履く場合、使用者は、図９に示すように、ヒール部１０１の底面１０２と、アウトソール（本底）１０３のうち、路面Ｒと当接する接地部１０４とにおいて足部を支持しており、つま先部分には特に体重が掛かる状態になっている。図１０に示すように、ハイヒール１００の前方部分である接地部１０４では、“面”で構成される接触領域Ｚ１で足部を支持し、ハイヒール１００の後方部分では、接触面積の狭い“点”からなるヒール底面１０２で足部を支持している。
【０００３】
このように従来のハイヒール１００は、“面”と“点”とでバランスを保持しているため、ハイヒール１００自体が、足の内側及び外側に傾きやすい不安定な状態になっている。即ち、“点”で支持するヒール底面１０２には体重による圧力が集中して加わるが、“面”で支持する接地部１０４内では、圧力分布に偏りが生じやすく、面の傾きが生じやすい。このため、歩行中に使用者の重心が僅かに左右に移動したり、そもそも使用者の骨格バランスが崩れていると、ヒール部１０１を支点として、ハイヒール１００が内側及び外側に傾きやすい状態になる。特に歩行中には、左足及び右足に交互に体重が掛かるので、ハイヒール１００のバランスの揺れが生じ、使用者が転倒したり、足を挫いたりする恐れがある。
【０００４】
これに対し、特許文献１では、靴の底革の接地面のうち、後端から１〜２ｃｍ離れた位置に突起を設け、突起から踵の間の底革を比較的高剛性の材料にし、つま先部分にかかる体重を減少させることで、ハイヒールの安定化を図っている。
【特許文献１】特開平７−１８４７０２号公報
【発明の開示】
【発明が解決しようとする課題】
【０００５】
しかし、特許文献１に記載された靴では、“面”からなる接地部位と“点”からなるヒール部分とで体重を支持する態様は変わらず、突起は、体重を分散させるために補助的に設けられているに過ぎない。従ってこの靴は、上記したような通常のハイヒール１００と比較する場合には安定すると想定されるが、ハイヒールの内側又は外側への傾きやすさは十分には解消されない。
【０００６】
例えば、上記文献では上記突起の位置について開示されていないが、突起が足幅方向の中央に設けられている場合、その突起及び接地部位を支点としてハイヒールは左右に傾きやすくなると考えられる。また突起の位置が左側又は右側に偏倚している場合、ハイヒールはその反対側に傾きやすくなる。
【０００７】
本発明は、上記問題点に鑑みてなされたものであり、その目的は、ヒールが高い履き物において、安定性を向上させることができる履き物、及び履き物に用いられる支持部を提供することにある。
【課題を解決するための手段】
【０００８】
請求項１に記載の発明は、ヒール部を有する履き物において、路面に対向する底面であって足の拇指球に相当する拇指球位置と、前記底面であって足の小指球に相当する小指球位置とに履き物が路面に当接する接触領域を減少させるべく前記底面から突出して前記底面を路面から離間させるようにした各支持部をそれぞれ備え、前記ヒール部が路面に当接する際に、該ヒール部と前記各支持部とにより足部を３点支持し、履き物の底部に凹部を形成し、一つの前記凹部には、その底面に前記拇指球位置に備えられる前記支持部と前記小指球位置に備えられる前記支持部とが島状に設けられていることを要旨とする。
【０００９】
本発明によれば、拇指球位置に設けられた支持部と、小指球位置に設けられた支持部と、ヒール部とにより足部を３点支持するので、ヒール部を有する履き物の安定性を向上することができる。また、凹部内に支持部が形成されているので、支持部が外部から視認されにくくなる。
【００１０】
請求項２に記載の発明は、請求項１に記載された履き物において、前記底面であって、足のつま先に相当するつま先位置に支持部をさらに備え、前記ヒール部が路面に当接しない際に、前記拇指球位置に設けられた支持部と、前記小指球位置に設けられた支持部と、前記つま先位置に設けられた支持部とにより足部を３点支持することを要旨とする。
【００１１】
これによれば、例えば階段歩行時など、ヒール部が路面に当接しない際に、拇指球位置の支持部と、小指球位置の支持部と、つま先に設けられた支持部とにより足部を３点支持する。このため、ヒール部を路面に当接させないで歩行する際にも、ハイヒールの安定性を向上することができる。
【００１３】
請求項３に記載の発明は、請求項２に記載された履き物において、前記つま先位置の支持部は、前記ヒール部が路面に当接した際に、路面に接触しない高さに形成されている。
【００１４】
これによれば、つま先に設けられた支持部は、ヒール部が路面に当接する際に、路面に接触しない高さに形成されている。このため、ヒールが路面に接した場合でも接しない場合でも、足部を３点支持することができる。
【００１５】
請求項４に記載の発明は、請求項１〜３のいずれか１項に記載の履き物において、前記ヒール部は、前記拇指球位置の支持部と前記小指球位置の支持部により底上げされた高さを調整するための支持部を備えている。
【００１６】
これによれば、各支持部により底上げされた高さ分を調整するための高さ調整部をヒール部に備えている。このため、完成した履き物に支持部を新たに設ける場合にも、履き物を本来の正しい姿勢にすることができる。
【００１７】
請求項５に記載の支持部は、上記履き物に用いられる支持部であって、前記履き物に対して着脱可能に設けられる。
これによれば、支持部を履き物に対して着脱可能に設けることができるので、既製品の履き物に支持部を固定することができる。
【発明の効果】
【００１８】
本発明によれば、ヒールが高い履き物において、安定性を向上させることができる履き物、及び履き物に用いられる支持部を提供することができる。
【発明を実施するための最良の形態】
【００１９】
（第１実施形態）
以下、本発明を具体化した一実施形態を図１〜図５に従って説明する。図１は、履き物としてのハイヒール１の斜視図、図２はその側面図、図３はその底面図、図４は正面図で
ある。尚、図１、図２及び図４は左足用のハイヒール１を示す。
【００２０】
図１に示すように、ハイヒール１は、足部を包み、履き口２が形成された甲革３と、甲革３の下方に設けられたアウトソール（本底）４と、踵部に設けられたヒール部５を備えている。
【００２１】
アウトソール４のうち、ヒール部５側から土踏まずにかけては、つま先側に向かって傾斜した傾斜部４Ａになっている。この傾斜部４Ａよりも前方には、ほぼ平面状に形成された４Ｂが設けられている。また、水平部４Ｂよりも前方には、上方に反った形状に形成されたつま先部４Ｃが設けられている。図２に示すように、このつま先部４Ｃは、歩行しやすさを確保するため、ヒール部５が路面Ｒに当接した際に、路面Ｒに接触しない形状に形成されている。
【００２２】
次に、アウトソールに設けられた各支持部１１〜１３について図３に従って説明する。図３に示すように、アウトソール４の底面のうち、水平部４Ｂからつま先部４Ｃまでの領域の３位置には、各支持部１１〜１３が接着剤等で着脱可能に固定されている。各支持部１１〜１３の形状は、楕円形状、円形状、矩形状などであって特に限定されないが、本実施形態では、楕円形状に形成されている。各支持部１１〜１３の大きさは、楕円形状の場合、その長軸が１センチメートル以上５センチメートル以下程の大きさであり、その厚みは１ミリ以上１センチメートル未満である。各支持部１１〜１３の材質は、特に限定されないが、振動吸収性に優れた材質、又は摩擦係数が比較的大きい材質、又は耐摩耗性が高い材質が好ましい。一例として、ポリウレタン、エラストマー等を用いることができる。
【００２３】
第１支持部１１は、アウトソール４のつま先位置に固定されている。図２に示すように、つま先部４Ｃに固定される第１支持部１１は、ヒール部５を路面Ｒに当接させたとき、路面Ｒに接触しない厚さになっている。
【００２４】
第２支持部１２は、使用者がハイヒール１を履いた際に、使用者の足の拇指球に相当する拇指球位置Ｐ１に固定されている。尚、拇指球は、小指球及び踵とともに、体重を支持する支点となる部位であって、それらの部位には、足部の他の部位よりも大きな圧力が付与される。通常、拇指球位置Ｐ１は、アウトソール４のうち、最も足の内側へ張り出した位置になるため、第２支持部１２は、その最も内側に張り出した位置又はその付近に固定される。
【００２５】
また、第３支持部１３は、使用者がハイヒール１を履いた際に、使用者の足の小指球に相当する小指球位置Ｐ２に固定されている。通常、小指球位置Ｐ２は、アウトソール４のうち、最も外側に張り出した位置になるため、第３支持部１３は、最も外側に張り出した位置又はその付近に固定される。尚、図中、拇指球位置Ｐ１及び小指球位置Ｐ２は点で示しているが、足の拇指球及び小指球に相当する箇所を指す。
【００２６】
また、ヒール部５は、その底面に、ヒール部５における支持部としての高さ調整部６を備えている。高さ調整部６は、各支持部１２，１３によって水平部４Ｂが底上げされた高さ分を調整するための部材であって、接着剤等により固定されている。高さ調整部６は、各支持部１１〜１３の厚みとほぼ同じ厚みに形成されている。また、高さ調整部６は、ヒール部５の底面に合わせた形状及び大きさに形成されているが、各支持部１１〜１３とほぼ同じ大きさである。この高さ調整部６をヒール部５に固定することで、各支持部１２，１３を固定した水平部４Ｂとヒール部５との高さの均衡を取り、ハイヒール１を本来の正しい姿勢を維持することができる。
【００２７】
その結果、高さ調整部６が固定されたヒール部５が路面Ｒに当接した状態では、そのヒ
ール部５と、各支持部１２，１３とが使用者の体重を支える支点となる。図３中鎖線で示すように、各支持部１２，１３及びヒール部５の各位置は、それらの位置を頂点とした三角形をなす。このため、例えばヒール部５、第２支持部１２及び第３支持部１３が一直線上の３点に配置されるよりも、ハイヒール１が足の内側及び外側に傾きにくく安定性が増す。
【００２８】
さらに、第１支持部１１、第２支持部１２及び第３支持部１３もまた、各位置を頂点とした三角形をなすように配置されているため、例えば各支持部１１〜１３が一直線上に配置されるよりも、ハイヒール１が足の内側及び外側に傾きにくく安定性が増す。
【００２９】
次に、このハイヒール１の作用について説明する。
平坦な床又は道路等の路面Ｒをハイヒール１を履いた使用者が歩行する場合には、図２及び図４に示すように、高さ調整部６が固定されたヒール部５、第２支持部１２、第３支持部１３との３点が路面Ｒに圧接される。ヒール部５、第２支持部１２及び第３支持部１３は、体重を支える支点となる踵、拇指球位置及び小指球位置にそれぞれ設けられているので、それらの３点のみで安定して体重を支えることができる。また、高さ調整部６及び各支持部１２，１３の大きさは、ほぼ同じ大きさであるため、高さ調整部６及び各支持部１２，１３には、圧力に大きな偏りがない。このため、使用者の足部を、後方、足内側及び外側から３点で安定して支持することができる。
【００３０】
さらに、図４に示すように、第２支持部１２及び第３支持部１３は、ハイヒール１の最も内側に張り出した位置又はその付近と、最も外側に張り出した位置又はその付近とに固定されているので、重心が偏っても、ハイヒール１が内側及び外側に傾き難く、ハイヒール１の姿勢を安定させることができる。従って、使用者の転倒を防止し、立ち姿勢や歩行を安定させることができる。
【００３１】
一方、階段歩行時等には、ヒール部５を段部の上面に当接させずに昇ることが多い。このようにヒール部５が当接しない際には、水平部４Ｂ及びつま先部４Ｃに体重が掛かり、図５に示すように、第１支持部１１、第２支持部１２及び第３支持部１３が、階段の段部２０の上面２０Ａ等に圧接される。このとき、各支持部１１〜１３には体重による圧力が分散されて集中的に付加される。各支持部１１〜１３は、使用者の足を、つま先側、足内側及び足外側から３点支持するため、ヒール部５が路面に接触しない場合にもハイヒール１の姿勢を安定化させることができる。
【００３２】
上記実施形態によれば、以下のような効果を得ることができる。
（１）上記実施形態では、ハイヒール１は、その底面であって足の拇指球に相当する拇指球位置と、底面であって足の小指球に相当する小指球位置とに第２及び第３支持部１２，１３をそれぞれ備え、ヒール部５が路面Ｒに当接する際に、該ヒール部５と各支持部１２，１３とにより足部を３点支持する。このため、ハイヒール１の姿勢を安定化させ、使用者の転倒を防止し、立ち姿勢や歩行を安定させることができる。
【００３３】
（２）上記実施形態では、ハイヒール１は、その底面であって、足のつま先に相当するつま先位置に第１支持部１１をさらに備え、ヒール部５が路面Ｒに当接しない際に、第１〜第３支持部１１〜１３とにより足部を３点支持する。このため、ヒール部を路面Ｒに接触させないで歩行する際にも、ハイヒールの安定性を向上することができる。
【００３４】
（３）上記実施形態では、ハイヒール１のつま先位置に設けられた第１支持部１１は、ヒール部５が路面Ｒに当接した際に、路面に接触しない高さに形成されている。このため、ヒール部５が路面に当接する場合でも、当接しない場合でも、足部を安定して３点支持することができる。
【００３５】
（４）上記実施形態では、ヒール部５は、各支持部１２，１３により底上げされた高さ分を調整するための高さ調整部６を備えている。このため、完成した履き物に支持部１１〜１３を新たに設ける場合にも、ヒール部５の長さが丈短になることで前後のバランスを崩すようなことがなく、ハイヒール１を本来の正しい姿勢にすることができる。
【００３６】
（５）上記実施形態では、各支持部１１〜１３及び高さ調整部６を、ハイヒール１に対して着脱可能な部材とした。このため、既製品のハイヒール１に支持部１１〜１３及び高さ調整部６を固定することができる。
【００３７】
（第２実施形態）
次に、本発明を具体化した第２実施形態を図６〜図８に従って説明する。尚、第２実施形態は、第１実施形態の支持部の構成を変更したのみであるため、同様の部分についてはその詳細な説明を省略する。
【００３８】
図６は、ハイヒール３０を裏面からみた斜視図である。ハイヒール３０の底部としてのアウトソール２６は、ゴム、ポリウレタン、エチレン酢酸ビニル（ＥＶＡ）等といった合成樹脂からなり、射出成形等の公知の成形方法により成形されている。アウトソール２６は、第１実施形態と同様に、水平部２６Ａ、土踏まずから踵に至る傾斜部２６Ｂ、つま先部２６Ｃを有している。傾斜部２６Ｂのうち、踵に相当する位置には、ヒール部２７が固定されている。
【００３９】
また、アウトソール２６のうち、つま先部２６Ｃから水平部２６Ａにかけて、略台形状の凹部２５が形成されている。凹部２５は、つま先部２６Ｃ及び水平部２６Ａの形状に沿って設けられた縁部２４と、傾斜部２６Ｂの端部とによって囲まれ、数ミリ〜１センチメートル程の深さを有している。尚、アウトソール２６のつま先部２６Ｃ及び水平部２６Ａ全体を取り囲む略台形状の突条（縁部）を形成し、その突条の内側を凹部としてもよい。
【００４０】
凹部２５の底面２５Ａには、アウトソール２６に一体に形成された突部としての各支持部２１〜２３が島状に設けられている。第１支持部２１は、つま先位置に設けられている。第２支持部２２は、このハイヒール３０が適用される足部の母子球位置に設けられている。第３支持部２３は、小指球位置に設けられている。各支持部２１〜２３の高さは、凹部２５の深さと同じ高さか、或いは若干大きい高さに形成されている。また、各支持部２１〜２３は、第１実施形態と同様な形状及び大きさに形成されている。
【００４１】
図７は、ハイヒール３０の底面図である。図７に示すように、第２支持部２２は、第１実施形態と同様に、アウトソール２６の最も内側に張り出した位置に設けられ、第３支持部２３は、アウトソール２６の最も外側に張り出した位置に設けられている。即ち、第２支持部２２及び第３支持部２３は、足部の幅が最大となる位置の両端にそれぞれ設けられている。また、各支持部２１〜２３の各位置は、それらの位置を頂点とした三角形をなし、第２支持部２２及び第３支持部２３及びヒール部２７の各位置は、それらの位置を頂点とした三角形をなす。
【００４２】
図８は、図７に示すＡ−Ａ線におけるアウトソール２６の断面図であって、使用者が平坦な路面Ｒを歩行する際の状態を示している。平坦な路面Ｒの歩行時には、各支持部２１〜２３のうち、母子球位置に設けられた第２支持部２２と、小指球位置に設けられた第３支持部２３と、ヒール部２７とが路面Ｒに接し、つま先に設けられた第１支持部２１は路面Ｒに接しない状態となる。また、水平部２６Ａに設けられた凹部２５の底面２５Ａも、路面Ｒに接しない状態になる。また、各支持部２１〜２３の高さと凹部２５（縁部２４）の深さとが同じ長さに形成されている場合には、凹部２５を囲む縁部２４も路面Ｒに接す
る。
【００４３】
従って、平坦な路面Ｒを歩行する際には、足部は、第２支持部２２、第３支持部２３、及びヒール部２７によって支持される。従って、各支持部２２，２３及びヒール部２７に体重による圧力が分散されて集中的に加わるため、水平部２６Ａとヒール部２７とで足部を支持するよりも、使用者の足部を安定して支持することができる。また、上記したように、各支持部２２，２３及びヒール部２７の各位置は、それらの位置を頂点とした三角形をなし、且つ各支持部２２，２３は足部の幅が最大となる位置の両端に設けられているため、例えば各支持部２２，２３及びヒール部２７が一直線上の３点に配置されるよりも、ハイヒール３０が足の内側及び外側に傾きにくく、安定性が増す。
【００４４】
また、本実施形態のように凹部２５内に各支持部２１〜２３を設けると、ハイヒール３０が路面Ｒ等に当接した状態では、支持部２１〜２３が縁部２４の内側に位置するため、外部から殆ど見えない。このため、ハイヒール３０のデザインに影響を及ぼさずに、その安定性を図ることができる。
【００４５】
また、第１実施形態で説明したように、階段歩行時等、ヒール部２７を段部の上面に当接させずに昇る際には、第１支持部２１、第２支持部２２及び第３支持部２３が階段の上面に当接する。このため、各支持部２１〜２３に体重による圧力が分散されて集中的に加わるため、使用者の足部を安定して支持することができる。また、上記したように、これらの支持部２１〜２３の各位置も、それらの位置を頂点とした三角形をなすため、例えば各支持部２１〜２３が一直線上の３点に配置されるよりも、ハイヒール３０が足の内側及び外側に傾きにくく、安定性が増す。
【００４６】
第２実施形態によれば、以下のような効果を得ることができる。
（６）第２実施形態では、ハイヒール１のアウトソール２６に凹部２５を形成し、凹部２５のうち、つま先位置に第１支持部２１を設けた。また、足の拇指球に相当する拇指球位置に第２支持部２２を設けた。さらに、凹部２５のうち、足の小指球に相当する小指球位置に第３支持部１３を設けた。そして、ヒール部２７が路面Ｒに当接する際に、該ヒール部２７と、第２及び第３支持部２２，２３とにより足部を３点支持する。このため、ハイヒール３０の姿勢を安定化させ、使用者の転倒を防止し、立ち姿勢や歩行を安定させることができる。また、ヒール部２７が路面Ｒに当接しない際に、第１〜第３支持部２１〜２３により足部を３点支持する。このため、ヒール部を路面Ｒに接触させないで歩行する際にも、ハイヒールの安定性を向上することができる。
【００４７】
（７）第２実施形態では、各支持部２１〜２３は、アウトソール２６の凹部２５内に設けられた突部とした。従って、ハイヒール３０の裏面を路面Ｒに着地させた状態では、各支持部２１〜２３が縁部２４の内側に隠されるため、使用時には、各支持部２１〜２３を外部から視認されにくい状態とし、目立たないようにすることができる。
【００４８】
尚、上記各実施形態は以下のように変更してもよい。
・上記各実施形態では、つま先位置に支持部を設けたが、この支持部を省略してもよい。この場合でも、少なくとも平坦な路面Ｒを歩行する際にハイヒール１の安定性を向上することができる。
【００４９】
・第１実施形態では、ハイヒール１に、支持部１１〜１３及び高さ調整部６を着脱可能に設けるようにしたが、アウトソール（本底）を各支持部１１〜１３が一体に形成された形状にしてもよい。例えば、アウトソール（本底）を、各支持部１１〜１３の位置に凹部が設けられた型によって形成する。また、ヒール部５にも、高さ調整部６を一体に形成してもよい。即ち、各支持部１１〜１３により底上げされた高さ分だけ、ヒール部５を高く
形成してもよい。
【００５０】
・第２実施形態では、アウトソール２６に縁部２４を設けたが、これを省略した構成にしてもよい。
・第２実施形態では、各支持部２１〜２３を着脱可能に設けるようにしてもよい。
【００５１】
・上記実施形態では、アウトソール２６の水平部２６Ａ及びつま先部２６Ｃを削って凹部２５を形成してもよい。
・上記各実施形態では、履き物をハイヒール１（パンプス）に具体化したが、ヒールが細く且つ高いヒール部を有し、土踏まずに相当する箇所が常に路面Ｒに接触しない、他の履き物に具体化してもよい。例えば、ヒール部を有するブーツ、ヒール部を有するサンダル等に具体化してもよい。
【図面の簡単な説明】
【００５２】
【図１】第１実施形態のハイヒールの斜視図。
【図２】ハイヒールの側面図。
【図３】ハイヒールの底面図。
【図４】ハイヒールの正面図。
【図５】階段歩行時のハイヒールの作用図。
【図６】第２実施形態のハイヒールの斜視図。
【図７】ハイヒールの底面図。
【図８】アウトソールの断面図。
【図９】従来のハイヒールの側面図。
【図１０】従来のハイヒールの底面図。
【符号の説明】
【００５３】
１…履き物としてのハイヒール、５，２７…ヒール部、６…支持部としての高さ調整部、１１，２１…第１支持部、１２，２２…第２支持部、１３，２３…第３支持部、２５…凹部、２５Ａ…底面、２６…底部としてのアウトソール、Ｐ１…拇指球位置、Ｐ２…小指球位置、Ｒ…路面。
【図１】
0005133180.tif 000002
【図２】
0005133180.tif 000003
【図３】
0005133180.tif 000004
【図４】
0005133180.tif 000005
【図５】
0005133180.tif 000006
【図６】
0005133180.tif 000007
【図７】
0005133180.tif 000008
【図８】
0005133180.tif 000009
【図９】
0005133180.tif 000010
【図１０】
0005133180.tif 000011